(57)【要約】【課題】  窓を有するものであって、火災時において障子が脱落することのないドアを提供する。【解決手段】  枠体と、障子と、カバーと、外部枠体とを備え、枠体は、上枠と縦枠を有していて、上枠と縦枠は、室外側に突出する持出部を有しており、障子は、枠体の持出部に上下動自在に納めてあり、カバーは、上枠及び縦枠に取り付けてあって、それぞれの持出部の外周側面と室外側面を覆っていて、カバーと持出部の間に空間部を形成してあり、カバーの室外側に外部枠体を取り付けてある。【選択図】      図１
2014227773.tif 000002
【特許請求の範囲】
【請求項１】
枠体と、障子と、カバーと、外部枠体とを備え、枠体は、上枠と縦枠を有していて、上枠と縦枠は、室外側に突出する持出部を有しており、障子は、枠体の持出部に上下動自在に納めてあり、カバーは、上枠及び縦枠に取り付けてあって、それぞれの持出部の外周側面と室外側面を覆っていて、カバーと持出部の間に空間部を形成してあり、カバーの室外側に外部枠体を取り付けてあることを特徴とするドア。
【発明の詳細な説明】
【技術分野】
【０００１】
本発明は、窓を有し換気を行うことができるドアに関する。
【背景技術】
【０００２】
従来、特許文献１に示すように、上げ下げ窓を設けたドアがあり、ドアを閉めたままの状態で、窓を開けて換気を行うことができるものであった。このようにドアに上げ下げ窓を設ける場合、ドアの本体は二枚の障子（外障子と内障子）を納めるだけの見込厚さがないので、ドアの本体に室外側に突出する持出部を形成してあり、外障子がこの持出部に上下動自在に納めてあった。
【先行技術文献】
【特許文献】
【０００３】
【特許文献１】特開２００２−１６１６７８号公報
【発明の概要】
【発明が解決しようとする課題】
【０００４】
しかしながら、特許文献１の発明においては、火災時において、突出した持出部が炎にさらされやすく、この持出部が溶け落ちると、外障子が脱落して室内外が連通してしまうことが問題であった。
【０００５】
本発明は、上記事情を鑑みたものであり、窓を有するものであって、火災時において障子が脱落することのないドアを提供することを目的とする。
【課題を解決するための手段】
【０００６】
本発明は、枠体と、障子と、カバーと、外部枠体とを備え、枠体は、上枠と縦枠を有していて、上枠と縦枠は、室外側に突出する持出部を有しており、障子は、枠体の持出部に上下動自在に納めてあり、カバーは、上枠及び縦枠に取り付けてあって、それぞれの持出部の外周側面と室外側面を覆っていて、カバーと持出部の間に空間部を形成してあり、カバーの室外側に外部枠体を取り付けてあることを特徴とする。
【発明の効果】
【０００７】
本発明によれば、室外側に突出する持出部の外周側面と室外側面がカバーに覆われているので、持出部が直接炎にさらされることはない。また、カバーと持出部の間に空間部を形成してあって、炎の熱が持出部に伝わりにくい。さらに、外部枠体がカバーの室外側に取り付けてあるので、より炎の熱が持出部に伝わりにくい。これらにより、火災時において持出部が溶け落ちることを防いでおり、障子が脱落して室内外が連通してしまうことがない。
【図面の簡単な説明】
【０００８】
【図１】ドアの上枠部分の縦断面図である。
【図２】ドアの縦枠部分の横断面図である。
【図３】ドアの縦断面図である。
【図４】ドアの横断面図である。
【図５】（ａ）はドアの室外側正面図（網戸枠体は図示省略）、（ｂ）はドアの室内側正面図である。
【発明を実施するための形態】
【０００９】
以下、本発明のドアの実施の形態を図面に基づいて説明する。なお、左右方向とは、ドアを室外側から見た場合（図５（ａ））の左右方向を示す。このドアは、主に勝手口などに設置するためのものであり、図３〜図５に示すように、上枠１１と、下枠１２と、左右の縦枠１３とを四周枠組みして枠体１を構成し、その内周側に、外障子２ａ及び内障子２ｂを嵌め込んである。左側が戸先側、右側が吊元側となっており、右側の縦枠１３が、丁番１０によって躯体に取り付けてある。丁番１０は、縦枠１３の上下方向中央と、その上下の３箇所に、等間隔で配置してある。そして外障子２ａ及び内障子２ｂは、何れも上框２１ａ，２１ｂと、下框２２ａ，２２ｂと、左右の縦框２３ａ，２３ｂとを有し、上框２１ａ，２１ｂ及び下框２２ａ，２２ｂの左右端に縦框２３ａ，２３ｂを取り付けて四周框組みしてあって、その内周側に、ガラスパネル２４ａ，２４ｂを納めたものである。閉鎖時において、外障子２ａは上側、内障子２ｂは下側となる。そして、内障子２ｂの上框２１ｂの上側にクレセント錠２０を設けてあり、閉鎖時に施錠可能となっている。なお、各枠及び各框は、何れも室外側のアルミ部材と室内側の樹脂部材からなる。
【００１０】
より詳しくは、図２に示すように、左右の縦枠１３の内周側端部の室外側には、室外側に延びる外周側面１３ｂと外周側面１３ｂの室外側端部から内周側に延びる室外側面１３ｃからなる持出部１３ａを形成してあり、この持出部１３ａにより、縦枠１３の内周側端部の見込幅が広くなっている。そして、縦枠１３（及び持出部１３ａ）の内周側には、上下に延びる２本のガイド溝１４ａ，１４ｂが並んで形成してある。ガイド溝１４ａ，１４ｂは断面略コ字形で、室外側のガイド溝１４ａは持出部１３ａ部分に形成してある。そして室外側のガイド溝１４ａには外障子２ａの左右端（縦框２３ａ）が納まり、室内側のガイド溝１４ｂには内障子２ｂの左右端（縦框２３ｂ）が納まっていて、外障子２ａ及び内障子２ｂは上下動自在となっている。なお、この外障子２ａと内障子２ｂはワイヤ３０により連結されていて連動するようになっており、一方の障子を動かすと、他方の障子が反対方向に同距離だけ動く。また、図１に示すように、上枠１１の内周側（下側）端部の室外側にも、縦枠１３と同様に外周側面１１ｂと室外側面１１ｃからなる持出部１１ａを形成してあり、外障子２ａの閉鎖状態において、外障子２ａの上端（上框２１ａ）が納まる。さらに、下枠１２の内周側（上側）端部の室外側には、室外側に延びる延出片１２ａを形成してある。
【００１１】
そして、図１及び図２に示すように、上枠１１及び縦枠１３に形成した持出部１１ａ，１３ａには、カバー５を取り付けてある。上枠１１に取り付けるカバー５は、見込面５１と、見込面５１の室外側端から内周側（下側）に延びる見付面５２を有している。見込面５１の室内側端には、室外側向きに開口する略コ字形の係合部５３を形成してあり、見付面５２の下端には室内側に向けて延びる当接片５４を形成してある。さらに見付面５２の下端には室外側下方に向けて延びる傾斜片５５を形成してある。上枠１１には、持出部１１ａの外周側面１１ｂに隣接して溝状の被係合部１１ｄを形成してあり、カバー５の係合部５３を被係合部１１ｄに嵌め込み、係合部５３を外周側面１１ｂにネジ止めして固定してある。この際、当接片５４の先端は持出部１１ａの室外側面１１ｃに当接している。また、係合部５３は、上枠１１の室外側面の下端部及び持出部１１ａの外周側面１１ｂの室内側端部（持出部１１ａの根元部分）を覆っている。このように上枠１１に取り付けられたカバー５は、上枠１１の持出部１１ａの外周側面１１ｂと室外側面１１ｃを覆うものであり、カバー５の見込面５１と持出部１１ａの外周側面１１ｂ及びカバー５の見付面５２と持出部１１ａの室外側面１１ｃの間には、空間部５ａが形成されている。そして、カバー５の見込面５１の内周側面（下面）には、加熱発泡材４を取り付けてある。この加熱発泡材４は、加熱されることにより発泡して厚さ方向（取付面に対して垂直方向）に膨張するものでる。また、縦枠１３に取り付けるカバー５も、見込面５１と、見込面５１の室外側端から内周側に延びる見付面５２を有している。見込面５１の室内側端には、室内側向きに突出する略Ｌ字形の係合部５３を形成してあり、見付面５２の内周側端には室内側に向けて延びる当接片５４を形成してある。さらに見込面５１の内周側には中空部５６を形成してある。縦枠１３には、持出部１３ａの外周側面１３ｂに隣接して溝状の被係合部１３ｄを形成してあり、カバー５の係合部５３を被係合部１３ｄに嵌め込み、中空部５６の内周側壁面を外周側面１３ｂにネジ止めして固定してある。この際、当接片５４の先端は持出部１３ａの室外側面１３ｃに当接している。このように縦枠１３に取り付けられたカバー５は、縦枠１３の持出部１３ａの外周側面１３ｂと室外側面１３ｃを覆うものであり、カバー５の見付面５２と持出部１３ａの室外側面１３ｃの間には空間部５ａが形成されている。
【００１２】
また、カバー５の室外側面には、網戸枠体（外部枠体）６を取り付けてある。網戸枠体６は、上げ下げ窓の開放時において虫の侵入を防ぐものであり、網戸上枠６１、網戸下枠６２及び網戸縦枠６３を四周枠組みして、網材６４を張設したものである。より詳しくは、上枠１１に取り付けるカバー５の傾斜片５５に、上向きに延びる取付片６６を有する取付部材６５をネジ止めしてあり、取付片６６に網戸上枠６１をネジ止めしてある。さらに、縦枠１３に取り付けるカバー５の見付面５２に、室外側向きに延びる引掛片６８を有する引掛部材６７をネジ止めしてあり、引掛片６８を網戸縦枠６３の室内側面に形成した孔に挿入して、網戸縦枠６３を引っ掛けてある。そして、下枠１２の延出片１２ａの先端に、網戸下枠６２が当接している。
【００１３】
このようの構成したドアによれば、室外側に突出する持出部１１ａ，１３ａの外周側面１１ｂ，１３ｂと室外側面１１ｃ，１３ｃがカバー５に覆われているので、持出部１１ａ，１３ａが直接炎にさらされることはない。また、カバー５と持出部１１ａ，１３ａの間に空間部５ａを形成してあって（縦枠１３の持出部１３ａの外周側面１３ｂはカバー５に当接しているが、当接部分にはカバー５の中空部５６が位置しているので、カバー５の見込面５１と持出部１３ａの外周側面１３ｂは離隔している）、炎の熱が持出部１１ａ，１３ａに伝わりにくい。さらに、網戸枠体６がカバー５の室外側に取り付けてあるので、より炎の熱が持出部１１ａ，１３ａに伝わりにくい。また、特に上側のカバー５においては、最も炎熱から保護したい持出部１１ａの根元部分を（根元部分が融解すると持出部１１ａ全体が脱落してしまうため）、カバー５の係合部５３により覆って保護している。そして、カバー５の見込面５１の内周側面に加熱発泡材４を取り付けてあるので、火災時にはこれが発泡し、持出部１１ａの外周側面１１ｂを覆って炎熱から保護する。これらにより、火災時において持出部１１ａ，１３ａが溶け落ちることを防いでおり、外障子２ａが脱落して室内外が連通してしまうことがない。また、網戸枠体６を持出部１１ａ，１３ａに直接取り付けると、網戸枠体６の荷重が持出部１１ａ，１３ａの先端に集中してかかるが、網戸枠体６をカバー５に取り付けると、網戸枠体６の荷重がカバー５を介して持出部１１ａ，１３ａの全体に分散し、持出部１１ａ，１３ａの変形が抑制される。さらに、カバー５が持出部１１ａ，１３ａの外周側面１１ｂ，１３ｂと室外側面１１ｃ，１３ｃを覆っていて、従来のドアと比較すると持出部１１ａ，１３ａに代わってカバー５が見えることになり、外観は従来と略同じであるので、ドアの意匠を損なわない。
【００１４】
なお、図３に示すように、下枠１２の内周側（上側）端部の室内側（アルミ部材部分）には、上向きに延びる立設片１７を形成してあり、立設片１７の上端には、タイト材ホルダ１５を形成してある。タイト材ホルダ１５は、上向きに開口する溝状のもので、タイト材１６を嵌め込んで取り付けてある。タイト材１６は、内障子２ｂの閉鎖状態において、内障子２ｂの下端（下框２２ｂ）の室内側部分に当接して、気密性・水密性を確保するものである。そして、内障子２ｂの下框２２ｂは、エッジ材３を有している。エッジ材３は、略Ｌ字形で下向きに延びる垂下片３１を有しており、下框２２ｂの下面にネジ止めしてある。垂下片３１は、下框２２ｂの室外側端に位置していて、内障子２ｂの閉鎖状態において、下枠１２のタイト材ホルダ１５の室外側面に対向している。さらに、エッジ材３の左右幅は、下框２２ｂの左右幅より長く、エッジ材３の左右端は、縦枠１３のガイド溝１４ｂに呑み込まれている。また、垂下片３１の室内側面には、加熱発泡材４を取り付けてある。一方、下枠１２の立設片１７の室外側にも、加熱発泡材４を取り付けてある。この加熱発泡材４は、加熱されることにより発泡して厚さ方向（取付面に対して垂直方向）に膨張するものであって、火災時に発泡して下枠１２と下框２２ｂとの隙間を塞ぐ。このように、内障子２ｂの下框２２ｂに取り付けたエッジ材３の左右端が縦枠１３のガイド溝１４ｂに呑み込まれているので、見込方向から見て縦枠１３とエッジ材３（下框２２ｂ）の間に隙間がなく、火災時において、エッジ材３の垂下片３１がタイト材１６を炎熱から保護する。また、内障子２ｂの下框２２ｂより左右に長いエッジ材３に加熱発泡材４を取り付けてあり、下枠１２の立設片１７に取り付けた加熱発泡材４と併せて、火災時に発泡して内障子２ｂ下端部の全長を覆う。これらにより、火災時に内障子２ｂの下端部において室内外が連通することを確実に防ぐ。
【００１５】
また、外障子２ａ及び内障子２ｂのガラスパネル２４ａ，２４ｂの全周にわたって、鉄製で断面コ字形のパネル支持材７を取り付けてある。これは、サッシが炎熱にさらされて上框２１ａ，２１ｂ、下框２２ａ，２２ｂ及び縦框２３ａ，２３ｂが融解した場合にガラスパネル２４ａ，２４ｂが外れるのを防ぎ、上げ下げ窓の気密性を維持するためのものである。
【００１６】
さらに、外障子２ａ及び内障子２ｂの、各框（上框２１ａ，２１ｂ、下框２２ａ，２２ｂ及び縦框２３ａ，２３ｂ）の中空部内には、鉄製で断面コ字形の補強材８を挿入してある（外障子２ａの上框２１ａの補強材８のみ、断面Ｌ字形である）。補強材８は各框の全長にわたるもので、外側からネジ止めしてある。これは、サッシが炎熱にさらされた際に、各框の伸びを抑えるためのものである。
【００１７】
また、上側のカバー５の内側及び内障子２ｂの下框２２ｂ部分以外にも、各ガイド溝１４ａ，１４ｂの内側、上枠１１の持出部１１ａの内側、各障子２ａ，２ｂの縦框２３ａ，２３ｂの外周側面、パネル支持材７の内側、外障子２ａの下框２２ａの室内側面と内障子２ｂの上框２１ｂの室外側面の各所に加熱発泡材４を取り付けてあり、火災時に隙間を塞ぐ。
【００１８】
本発明は、上記の実施形態に限定されない。たとえば、外障子と内障子が連動せず独立して開閉できるものや、外障子が固定されているものであってもよい。また、外部枠体は、網戸枠体のほか、複数本の桟を並べた格子体など、矩形の枠体形状のものであればよく、虫の侵入防止、目隠し、防犯などを目的とした種々のものを含む。
【符号の説明】
【００１９】
１  枠体
２ａ  外障子（障子）
５  カバー
５ａ  空間部
６  網戸枠体（外部枠体）
１１  上枠
１３  縦枠
１１ａ，１３ａ  持出部
１１ｂ，１３ｂ  外周側面
１１ｃ，１３ｃ  室外側面
【図１】
2014227773.tif 000003
【図２】
2014227773.tif 000004
【図３】
2014227773.tif 000005
【図４】
2014227773.tif 000006
【図５】
2014227773.tif 000007